(57)【特許請求の範囲】
【請求項１】
電源が被制御装置に印加する電圧を検出する電源検出回路に接続されていると共に前記被制御装置を制御するマイクロコンピュータが前記電源検出回路の動作を制御する電源検出回路制御方法であって、
前記マイクロコンピュータは、あらかじめ決められた条件が満たされているか否かを示す情報をもとに、前記電源検出回路が動作する状態と前記電源検出回路が動作しない状態とを切り換え、
前記マイクロコンピュータは、前記電源検出回路によって検出された電圧があらかじめ決められた安定した電圧である場合、前記電源検出回路を動作させない
電源検出回路制御方法。
【請求項２】
電源が被制御装置に印加する電圧を検出する電源検出回路に接続されていると共に前記被制御装置を制御するマイクロコンピュータが前記電源検出回路の動作を制御する電源検出回路制御方法であって、
前記マイクロコンピュータは、あらかじめ決められた条件が満たされているか否かを示す情報をもとに、前記電源検出回路が動作する状態と前記電源検出回路が動作しない状態とを切り換え、
前記マイクロコンピュータは、リードオンリーメモリを有しており、前記電源検出回路が動作していない場合、前記リードオンリーメモリに記憶された情報が示す電圧値をもとに、又は、前記マイクロコンピュータ及び前記電源検出回路の外部の記憶装置に記憶された情報が示す電圧値をもとに、前記被制御装置を制御する
電源検出回路制御方法。
【請求項３】
電源が被制御装置に印加する電圧を検出する電源検出回路と、
前記電源検出回路に接続されていると共に前記被制御装置を制御するマイクロコンピュータとを備え、
前記マイクロコンピュータは、あらかじめ決められた条件が満たされているか否かを示す情報をもとに、前記電源検出回路が動作する状態と前記電源検出回路が動作しない状態とを切り換え、
前記マイクロコンピュータは、前記電源検出回路によって検出された電圧があらかじめ決められた安定した電圧である場合、前記電源検出回路を動作させない
回路システム。
【発明の詳細な説明】
【技術分野】
【０００１】
本発明は、電源が被制御装置に印加する電圧を検出する電源検出回路を制御するための電源検出回路制御方法及び回路システムに関する。
【背景技術】
【０００２】
従来、被制御装置を制御するマイクロコンピュータは、当該マイクロコンピュータが動作している場合、電源が被制御装置に印加する電圧を検出する電源検出回路を常時動作させて当該電圧を認識する。なお、特許文献１は、低消費電力化を図ることができるマイクロコンピュータシステムを開示している。特許文献１に記載されている発明では、メインＣＰＵ（Central  Processing  Unit）部に対する電源供給を停止させている期間ではサブクロック信号によりサブＣＰＵが間欠的に動作し、サブＣＰＵの動作期間にメインＣＰＵ部の動作開始条件が成立したと判断されればメインＣＰＵ部に電源が供給されてメインＣＰＵ部が起動する。
【先行技術文献】
【特許文献】
【０００３】
【特許文献１】特開２００９−１１６８５１号公報
【発明の概要】
【発明が解決しようとする課題】
【０００４】
電源が被制御装置に印加する電圧を検出する電源検出回路とマイクロコンピュータとを有する従来の回路システムでは、電源検出回路が検出する電圧の値が大きく変動しない場合でも、つまり電源が被制御装置に印加する電圧が安定している場合でも、電源検出回路が常時動作するので、電力が無駄に消費される。【０００５】
本発明は、上記に鑑みてなされたものであって、被制御装置に印加される電圧を検出する電源検出回路に接続されていると共に被制御装置を制御するマイクロコンピュータを有する回路システムが消費する電力を抑制させる電源検出回路制御方法を得ることを目的とする。
【課題を解決するための手段】
【０００６】
上述した課題を解決し、目的を達成するために、本発明に係る電源検出回路制御方法は、電源が被制御装置に印加する電圧を検出する電源検出回路に接続されていると共に被制御装置を制御するマイクロコンピュータが電源検出回路の動作を制御する方法であって、マイクロコンピュータは、あらかじめ決められた条件が満たされているか否かを示す情報をもとに、電源検出回路が動作する状態と電源検出回路が動作しない状態とを切り換える。マイクロコンピュータは、電源検出回路によって検出された電圧があらかじめ決められた安定した電圧である場合、電源検出回路を動作させない。
【発明の効果】
【０００７】
本発明に係る電源検出回路制御方法は、被制御装置に印加される電圧を検出する電源検出回路に接続されていると共に被制御装置を制御するマイクロコンピュータを有する回路システムが消費する電力を抑制させることができるという効果を奏する。
【図面の簡単な説明】
【０００８】
【図１】実施の形態に係る回路システムの構成を示す図
【図２】実施の形態に係る回路システムが有する第２マイクロコンピュータの動作の手順を示すフローチャート
【図３】実施の形態に係る回路システムが有する第１マイクロコンピュータの動作の手順を示すフローチャート
【発明を実施するための形態】
【０００９】
以下に、本発明の実施の形態に係る電源検出回路制御方法及び回路システムを図面に基づいて詳細に説明する。なお、この実施の形態によりこの発明が限定されるものではない。
【００１０】
実施の形態．
図１は、実施の形態に係る回路システム１の構成を示す図である。実施の形態では、回路システム１が空気調和装置の室内機に配置されていることを想定する。回路システム１は、ファンモータ２を有する。ファンモータ２は、被制御装置の例である。回路システム１は、ファンモータ２に電圧を印加する電源３と、電源３がファンモータ２に印加する電圧を検出する電源検出回路４とを更に有する。
【００１１】
回路システム１は、電源検出回路４に接続されていると共にファンモータ２を制御する第１マイクロコンピュータ５を更に有する。第１マイクロコンピュータ５は、低消費電力モードが設定されていない動作中において、電源検出回路４の動作も制御する。具体的には、第１マイクロコンピュータ５は、あらかじめ決められた条件が満たされているか否かを示す情報をもとに、電源検出回路４が動作する状態と電源検出回路４が動作しない状態とを切り換える。図１では、電源検出回路４が動作する状態は「オン」と示され、電源検出回路４が動作しない状態は「オフ」と示されている。低消費電力モードの例は、スリープモードである。
【００１２】
更に言うと、第１マイクロコンピュータ５は、電源検出回路４によって検出された電圧があらかじめ決められた安定した電圧である場合、電源検出回路を動作させない。第１マイクロコンピュータ５は、電源検出回路４によって検出された電圧の値を示す情報を電源検出回路４から受け取る機能を有する。図１では、第１マイクロコンピュータ５が電源検出回路４によって検出された電圧の値を示す情報を電源検出回路４から受け取ることは「検出電圧フィードバック」と示されている。第１マイクロコンピュータ５は、特定の電圧値を示す情報を記憶するリードオンリーメモリ５１を有する。以下では、リードオンリーメモリ５１をＲＯＭ５１と記載する。図１において、リードオンリーメモリ５１はＲＯＭ５１と記載されている。
【００１３】
回路システム１は、第１マイクロコンピュータ５と通信を行う第２マイクロコンピュータ６を更に有する。第２マイクロコンピュータ６は、あらかじめ決められた条件が満たされているか否かを判断する機能を有する。第２マイクロコンピュータ６には、特定の電圧値を示す情報を記憶する記憶装置６１が設けられている。記憶装置６１は、第１マイクロコンピュータ５及び電源検出回路４の外部の装置である。記憶装置６１の例は、ＥＥＰＲＯＭ（登録商標）（Electrically  Erasable  Programmable  Read-Only  Memory）である。
【００１４】
第１マイクロコンピュータ５は、電源検出回路４が動作していない場合、ＲＯＭ５１に記憶された情報が示す電圧値をもとに、又は、記憶装置６１に記憶された情報が示す電圧値をもとに、ファンモータ２を制御する。
【００１５】
次に、回路システム１が有する第１マイクロコンピュータ５及び第２マイクロコンピュータ６の動作を説明する。まず、第２マイクロコンピュータ６の動作を説明する。図２は、実施の形態に係る回路システム１が有する第２マイクロコンピュータ６の動作の手順を示すフローチャートである。回路システム１の元電源がオンされると、第２マイクロコンピュータ６の動作が開始する。元電源は、図示されていない。
【００１６】
第２マイクロコンピュータ６は、記憶装置６１から、電源検出回路４を動作させない指示を示すデータＡを取得する（Ｓ１）。データＡは、特定の電圧値を示すデータでもある。第２マイクロコンピュータ６は、データＡを取得した時からの経過時間のカウントを開始する（Ｓ２）。第２マイクロコンピュータ６は、経過時間があらかじめ決められた時間であるＹ秒を経過したか否かを判断する（Ｓ３）。Ｙは、正数である。第２マイクロコンピュータ６は、経過時間がＹ秒を経過していないと判断した場合（Ｓ３でＮｏ）、ステップＳ３の動作を再び行う。
【００１７】
第２マイクロコンピュータ６は、経過時間がＹ秒を経過したと判断した場合（Ｓ３でＹｅｓ）、電源３が安定しているか否かを判断する（Ｓ４）。具体的には、ステップＳ４において、第２マイクロコンピュータ６は条件１又は条件２が満たされているか否かを判定する。第２マイクロコンピュータ６は、条件１又は条件２が満たされていると判定した場合に電源３が安定していると判断し、条件１及び条件２が満たされていないと判定した場合に電源３が安定していないと判断する。
【００１８】
条件１が満たされている場合は、ファンモータ２の回転速度が閾値以上であり、室内機から室内に送られる風の向きが一定の向きであって、室内機に設定された設定温度がある固定値である場合である。上記の閾値、一定の向き及び固定値は、任意に設定される。条件２が満たされている場合は、ファンモータ２の回転速度がある値からある期間変化しなかった場合である。上記のある値及びある期間は、任意に設定される。条件１及び条件２の各々は、あらかじめ決められた条件の例である。
【００１９】
第２マイクロコンピュータ６は、電源３が安定していると判断した場合（Ｓ４でＹｅｓ）、第１マイクロコンピュータ５へ電源検出回路４を動作させない指示を示すデータＡを送信する（Ｓ５）。第２マイクロコンピュータ６は、電源３が安定していないと判断した場合（Ｓ４でＮｏ）、第１マイクロコンピュータ５へ電源検出回路４を動作させる指示を示すデータＸを送信する（Ｓ６）。第２マイクロコンピュータ６は、ステップＳ５又はステップＳ６の動作を行うと一連の動作を終了する。第２マイクロコンピュータ６は、一連の動作を終了した後、ステップＳ３以降の動作を再度行ってもよい。
【００２０】
次に、第１マイクロコンピュータ５の動作を説明する。図３は、実施の形態に係る回路システム１が有する第１マイクロコンピュータ５の動作の手順を示すフローチャートである。回路システム１の元電源がオンされると、第１マイクロコンピュータ５の動作が開始する。
【００２１】
第１マイクロコンピュータ５は、第２マイクロコンピュータ６からデータを受信する（Ｓ１１）。第１マイクロコンピュータ５は、受信したデータが電源検出回路４を動作させる指示を示すデータＸであるか否かを判断する（Ｓ１２）。第１マイクロコンピュータ５は、受信したデータがデータＸであると判断した場合（Ｓ１２でＹｅｓ）、電源３が安定していないと判断し、電源検出回路４を動作させる（Ｓ１３）。第１マイクロコンピュータ５は、ステップＳ１３の動作を行った後に、電源検出回路４によって検出された電圧の値をもとにファンモータ２を制御する（Ｓ１４）。具体的には、ステップＳ１４において、第１マイクロコンピュータ５は、電源検出回路４によって検出された電圧の値をもとにファンモータ２の回転速度を制御する。
【００２２】
第１マイクロコンピュータ５は、受信したデータがデータＸでないと判断した場合（Ｓ１２でＮｏ）、つまり受信したデータがデータＡであると判断した場合（Ｓ１２でＮｏ）、電源３が安定していると判断し、電源検出回路４を動作させない（Ｓ１５）。第１マイクロコンピュータ５は、ステップＳ１５の動作を行った後に、データＡが示す電圧値をもとにファンモータ２を制御する（Ｓ１６）。具体的には、ステップＳ１６において、第１マイクロコンピュータ５は、データＡが示す電圧値をもとにファンモータ２の回転速度を制御する。
【００２３】
上述の通り、回路システム１が有する第１マイクロコンピュータ５は、あらかじめ決められた条件が満たされているか否かを示す情報をもとに、電源検出回路４が動作する状態と電源検出回路４が動作しない状態とを切り換える。つまり、電源検出回路４は動作し続けることはない。更に言うと、電源検出回路４が動作しない期間が存在する。したがって、実施の形態に係る電源検出回路制御方法は、回路システム１が消費する電力を従来より抑制することができる。
【００２４】
なお、上述した実施の形態では、回路システム１が空気調和装置の室内機に配置されていることを想定した。しかしながら、回路システム１は室内機に配置されていると限定されない。回路システム１が室内機に配置されていない場合でも、第１マイクロコンピュータ５は、あらかじめ決められた条件が満たされているか否かを示す情報をもとに、電源検出回路４が動作する状態と電源検出回路４が動作しない状態とを切り換える。すなわち、回路システム１が室内機に配置されていない場合でも、回路システム１が消費する電力は従来より抑制される。
【００２５】
上述した実施の形態に係る回路システム１が有するファンモータ２は、上述の通り被制御装置の例である。被制御装置は、ファンモータ２に限定されない。
【００２６】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００２７】
１  回路システム、２  ファンモータ、３  電源、４  電源検出回路、５  第１マイクロコンピュータ、６  第２マイクロコンピュータ、５１  リードオンリーメモリ、６１  記憶装置。
【図１】
0006890730.tif 000002
【図２】
0006890730.tif 000003
【図３】
0006890730.tif 000004